(57)【特許請求の範囲】
【請求項１】
操作パネルに内部ディスプレイと前記内部ディスプレイに対応して設けられた物理操作子を配置してなる音響調整卓であって、
前記内部ディスプレイに、複数の信号処理チャンネルの情報を表示するベース画面を表示し、且つ、該内部ディスプレイに対応する物理操作子に、前記表示されたベース画面内の情報を割り当てる第１ベース画面表示手段と、
前記内部ディスプレイにおいて、前記ベース画面に含まれる１つの信号処理チャンネルの情報に関するポップアップ画面を表示させる指示を行うポップアップ画面表示指示手段と、
前記表示指示手段によるポップアップ画面の表示指示が行われたときに、前記内部ディスプレイの前面に、前記表示指示されたポップアップ画面を表示し、且つ、前記第１ディスプレイに対応する物理操作子に、前記表示されたポップアップ画面内の情報を割り当てる第１ポップアップ画面表示手段と、
前記音響調整卓に外部接続された外部ディスプレイと、
前記外部ディスプレイを制御するために用いる外部ディスプレイ用操作子と、
前記内部ディスプレイに表示中の前記ポップアップ画面を、前記外部ディスプレイに外部ストックする指示を行う外部ストック指示手段と、
前記外部ストック指示手段による外部ストック指示に応じて、前記外部ストック指示されたポップアップ画面のデータを蓄積することで、前記外部ディスプレイで表示可能なポップアップ画面のデータを管理するストックリスト手段と、
前記外部ストック指示手段による外部ストック指示に応じて、前記外部ストック指示されたポップアップ画面を前記外部ディスプレイに表示し、且つ、前記外部ディスプレイ用操作子に、前記表示されたポップアップ画面内の情報を割り当てる第２ポップアップ画面表示手段と、
前記外部ストック指示手段による外部ストック指示に応じて、前記内部ディスプレイのポップアップ画面を消して前記ベース画面を前面に表示させ、且つ、該内部ディスプレイに対応する物理操作子に、前記表示されたベース画面内の情報を割り当てる第２ベース画面表示手段と、
前記ストックリスト手段に蓄積されたポップアップ画面から１つを選択する選択手段と、
前記選択手段により選択されたポップアップ画面を前記外部ディスプレイの前面に表示し、且つ、前記外部ディスプレイ用操作子に、前記表示されたポップアップ画面内の情報を割り当てる第３ポップアップ画面表示手段
を備えることを特徴とする音響調整卓。
【発明の詳細な説明】
【技術分野】
【０００１】
本発明は、複数チャンネルのオーディオ信号に対する信号処理に関する操作を行う音響調整卓に関し、詳しくは、信号処理に用いるパラメータを調整するための技術に関する。
【背景技術】
【０００２】
従来から知られるデジタルオーディオミキサにおいて、コンソール（操作卓）にディスプレイを配置し、ディスプレイには複数のチャンネル分の情報を表示するベース画面を表示するものがあった。ミキサのオペレータは、ベース画面の情報を参照することで、複数チャンネル間のバランスを確認しながら、各チャンネルのパラメータの値を調整できた。また、ベース画面の上に、特定の機能について詳細にパラメータを表示するポップアップ画面を表示することができた。ミキサのオペレータは、ポップアップ画面を用いて、１つのチャンネルに関する特定機能を詳細に調整できた（例えば下記特許文献１を参照）。
【先行技術文献】
【特許文献】
【０００３】
【特許文献１】特開２００７−０７４６２３号公報
【発明の概要】
【発明が解決しようとする課題】
【０００４】
ポップアップ画面を用いてパラメータを調整する場合も、調整対象のチャンネルに関する調整対象の機能のパラメータを見るだけではなく、他の複数のチャンネルとのバランスも確認したい、という要望があった。この点に対して、従来は、１つのベース画面に表示された複数のチャンネルのうち、何れかの１つのチャンネルに関するポップアップ画面しか表示できなかった。また、ポップアップ画面は、ベース画面上に重ねて表示されていたので、ポップアップ画面でパラメータを調整するときにはベース画面の一部が隠れていた。このため、例えば、ポップアップ画面でパラメータを調整するときには、そのポップアップ画面を閉じてベース画面でチャンネル間のバランスを確認してから、再びポップアップ画面を開いてパラメータを調整するという手間をかけなければならず、パラメータ調整作業が煩雑になってしまうという不都合があった。また、パラメータの値を適切に調整できず調整ミスしてしまう危険性もあった。すなわち、従来の技術では、ポップアップ画面を表示した状態では、複数チャンネル間のバランスを確認しながらパラメータを調整することが困難だった。
【０００５】
この発明は、上記の点に鑑みてなされたもので、ベース画面で複数のチャンネル間のバランスを確認しながら、ポップアップ画面でパラメータを調整する作業を、簡単且つ正確に行えるようにした音響調整卓を提供することを目的とする。
【課題を解決するための手段】
【０００６】
この発明は、操作パネルに内部ディスプレイと前記内部ディスプレイに対応して設けられた物理操作子を配置してなる音響調整卓であって、前記内部ディスプレイに、複数の信号処理チャンネルの情報を表示するベース画面を表示し、且つ、該内部ディスプレイに対応する物理操作子に、前記表示されたベース画面内の情報を割り当てる第１ベース画面表示手段と、前記内部ディスプレイにおいて、前記ベース画面に含まれる１つの信号処理チャンネルの情報に関するポップアップ画面を表示させる指示を行うポップアップ画面表示指示手段と、前記表示指示手段によるポップアップ画面の表示指示が行われたときに、前記内部ディスプレイの前面に、前記表示指示されたポップアップ画面を表示し、且つ、前記第１ディスプレイに対応する物理操作子に、前記表示されたポップアップ画面内の情報を割り当てる第１ポップアップ画面表示手段と、前記音響調整卓に外部接続された外部ディスプレイと、前記外部ディスプレイを制御するために用いる外部ディスプレイ用操作子と、前記内部ディスプレイに表示中の前記ポップアップ画面を、前記外部ディスプレイに外部ストックする指示を行う外部ストック指示手段と、前記外部ストック指示手段による外部ストック指示に応じて、前記外部ストック指示されたポップアップ画面のデータを蓄積することで、前記外部ディスプレイで表示可能なポップアップ画面のデータを管理するストックリスト手段と、前記外部ストック指示手段による外部ストック指示に応じて、前記外部ストック指示されたポップアップ画面を前記外部ディスプレイに表示し、且つ、前記外部ディスプレイ用操作子に、前記表示されたポップアップ画面内の情報を割り当てる第２ポップアップ画面表示手段と、前記外部ストック指示手段による外部ストック指示に応じて、前記内部ディスプレイのポップアップ画面を消して前記ベース画面を前面に表示させ、且つ、該内部ディスプレイに対応する物理操作子に、前記表示されたベース画面内の情報を割り当てる第２ベース画面表示手段と、前記ストックリスト手段に蓄積されたポップアップ画面から１つを選択する選択手段と、前記選択手段により選択されたポップアップ画面を前記外部ディスプレイの前面に表示し、且つ、前記外部ディスプレイ用操作子に、前記表示されたポップアップ画面内の情報を割り当てる第３ポップアップ画面表示手段を備えることを特徴とする音響調整卓である。
【発明の効果】
【０００７】
本発明によれば、内部ディスプレイに表示中のポップアップ画面を外部ディスプレイに移動させるという簡単な操作のみで、或る信号処理ｃｈについて、そのｃｈを含む複数の信号処理ｃｈの主要なパラメータと、そのｃｈの特定機能の詳細なパラメータとを同時に表示して同時に調整できる状態を迅速かつ正確につくりだせる、という優れた効果を奏する。
【図面の簡単な説明】
【０００８】
【図１】本発明に係る音響調整卓の一実施形態であるデジタルオーディオミキサの構成例を示すブロック図。
【図２】図１のデジタルオーディオミキサにおける信号処理構成を説明するブロック図。
【図３】図１のデジタルオーディオミキサのコンソール（操作パネル）構成例を説明する図。
【図４】内部ディスプレイに表示されたベース画面を説明する図。
【図５】内部ディスプレイに表示されたポップアップ画面を説明する図。
【図６】ポップアップ画面起動処理の手順を説明するフローチャート。
【図７】外部ディスプレイの画面構成を説明する図。
【図８】ポップアップ画面の外部ストック処理の手順を説明するフローチャート。
【図９】外部ディスプレイにおける操作に応じた処理の手順を説明するフローチャート。
【発明を実施するための形態】
【０００９】
以下に、本発明に係る音響調整卓の一実施形態であるデジタルオーディオミキサについて、添付図面を参照して、説明する。
【００１０】
図１は、この発明に係る音響調整卓を適用したデジタルオーディオミキサ（「デジタルミキサ」又は、単に「ミキサ」とも言う）のハードウェア構成を示すブロック図である。デジタルミキサ１は、ＣＰＵ（Central Processing Unit、中央処理装置）１０、フラッシュメモリ１１、ＲＡＭ（Random Access Memory、ランダムアクセスメモリ）１２、波形入出力インターフェース（波形Ｉ／Ｏ）１３、信号処理部（ＤＳＰ（Digital Signal Processing）部）１４、操作子１５、電動フェーダ１６、表示器１７、及び、その他Ｉ／Ｏ１８を備え、各構成要素がバスライン１９を介して接続される。
【００１１】
ＣＰＵ１０は、フラッシュメモリ１１又はＲＡＭ１２に記憶された制御プログラムを実行して、デジタルミキサ１の全体動作を制御する。フラッシュメモリ１１は、ＣＰＵ１０が実行する各種のプログラムや各種のデータなどを格納した不揮発性メモリである。ＲＡＭ１２は、ＣＰＵ１０が実行するプログラムのロード領域やワーク領域に使用する揮発性メモリである。また、フラッシュメモリ１１には、信号処理に用いる全てのパラメータの値（現在の設定値）を記憶したカレントメモリが設けられている。
【００１２】
波形Ｉ／Ｏ１３は、オーディオ信号を入出力するためのインターフェースであって、図中の矢印で示すように、アナログオーディオ信号やデジタルオーディオ信号を外部機器から入力するための複数の入力ポート、アナログオーディオ信号やデジタルオーディオ信号を外部機器へ出力するための複数の出力ポートを含む。さらに、アナログデジタル変換（ＡＤ変換）、デジタルアナログ変換（ＤＡ変換）、及びデジタル変換（フォーマット変換）を行うための機構を含む。
【００１３】
ＤＳＰ部１４は、ＣＰＵ１０の指示に基づいて各種のマイクロプログラムを実行することにより、カレントメモリに記憶された各種のパラメータの値に基づいて、波形Ｉ／Ｏ１３経由で外部機器から入力されたオーディオ信号に対するデジタル信号処理を行い、処理後のオーディオ信号を波形Ｉ／Ｏ１３経由で外部機器へ出力する。ＤＳＰ部１４が実行する信号処理は、ミキシング処理、効果付与処理及び音量レベル制御処理等である。
【００１４】
表示器１７、電動フェーダ１６、及び操作子１５は、ミキサ１の操作卓（コンソール）の操作パネル上に設けられたユーザインターフェースである。表示器１７は、表示パネルに対するタッチ操作による入力が可能なタッチパネル式ディスプレイにより構成され、ＣＰＵ１０からバス１９を介して与えられた表示制御信号に基づいて各種画面を表示できる。操作子１５は、後述するノブ操作子等を含む操作パネル上に配置された操作子群である。電動フェーダ１６は、フェーダ型の操作子であり、オペレータが操作できるとともに、ＣＰＵ１０から与えられる駆動制御信号に基づいて操作位置が自動制御される。ＣＵＰ１０は、操作子１５、電動フェーダ１６及びタッチパネル式ディスプレイ１７の操作を受けて、パラメータの値を調整する。本明細書において「パラメータの値を調整する」とは、カレントメモリに記憶されている当該操作に該当するパラメータの値を、当該操作に応じた値へ変更し、変更後の値をＤＳＰ部１４や表示器１７へ反映することである。
【００１５】
その他Ｉ／Ｏ１８は、外部ディスプレイ２を接続するためのインターフェース（例えばＶＧＡ端子）や、マウス操作子３を接続可能な汎用インターフェース（例えばＵＳＢ（Universal Serial Bus）端子）を含んで構成される。その他Ｉ／Ｏ１８を介して、ミキサ１とは別体の外部ディスプレイ２及び外部ディスプレイ２用の操作子（マウス操作子３）を含む周辺機器（その他機器）が、ミキサ１に外部接続される。
【００１６】
外部ディスプレイ２は、ＣＰＵなどの処理装置を必要とせず、ミキサ１のＣＵＰ１０によって制御され、ミキサ１から与えられた表示制御情報に基づいて各種の情報を表示する。当該外部ディスプレイ２は、ミキサ１内の内部ディスプレイとは独立に制御される。
外部ディスプレイ２用の操作子（マウス操作子３）は、内部ディスプレイ用の操作子（操作子１５、電動フェーダ１６、タッチパネル式ディスプレイ１７）とは別途に設けられた操作子であり、外部ディスプレイ２に表示された各種の情報を内部ディスプレイとは独立して操作するための操作子である。本実施例においては、外部ディスプレイ２用の操作子は外部ディスプレイ専用の操作子であって、内部ディスプレイ３０に表示された各種の情報を直に操作できないものとし、また、内部ディスプレイ用の操作子は内部ディスプレイ専用の操作子であって、外部ディスプレイ２に表示された各種の情報を直に操作できないものとする。
【００１７】
図２は、図１のミキサ１におけるオーディオ信号に対する信号処理の構成を説明するブロック図である。図２に示す各部の動作は、ＣＰＵ１０の処理及びＤＳＰ部１４が実行するマイクロプログラムの処理により実現される。アナログ入力部（Ａ入力）２０及びデジタル入力部（Ｄ入力）２１は、波形Ｉ／Ｏ１３のオーディオ信号入力機能（主に、ＡＤ変換、フォーマット変換、複数の入力ポート）に相当する。
【００１８】
入力パッチ部２２は、オペレータの指定に基づいて、Ａ入力２０とＤ入力２１の各入力ポートを、後段の入力チャンネル部２３のいずれかの入力ｃｈへ割り当てる。なお、本明細書では「チャンネル」という文言を「ｃｈ」と表記することがある。
【００１９】
入力ｃｈ部２３は、４８個の入力ｃｈを持つ。各入力ｃｈは、割り当てられている入力ポートから入力されるオーディオ信号に対して、カレントメモリの値に基づき、ヘッドアンプゲイン、アッテネータ、ディレイ、フェーズ切り替え、ＥＱ（イコライザ）、コンプレッサ、音量レベル、チャンネルオン・オフ、後段のＭＩＸバス２４へのセンドレベル、及びパン等の各種の信号処理を行い、信号処理後のオーディオ信号を後段のＭＩＸバス２４のうちの任意の１又は複数のバスへ出力する。
【００２０】
２４本あるＭＩＸバス２４のそれぞれは、入力ｃｈ部２３から供給されたオーディオ信号をミキシングし、ミキシング後のオーディオ信号を後段のＭＩＸ出力ｃｈ部２５へ出力する。
【００２１】
ＭＩＸ出力ｃｈ部２５は、２４本のＭＩＸバス２４のそれぞれに対応する２４個のＭＩＸ出力ｃｈを持つ。各ＭＩＸ出力ｃｈは、対応するＭＩＸバス２４から入力されるオーディオ信号に対して、カレントメモリの値に基づき、ＥＱ、コンプレッサ、音量レベル、及びチャンネルオン・オフ等の各種の信号処理を行い、信号処理後のオーディオ信号を後段の出力パッチ部２６へ出力する。
【００２２】
出力パッチ部２６は、オペレータの指定に基づいて、ＭＩＸ出力ｃｈ部２５の各ＭＩＸ出力ｃｈをアナログ出力部（Ａ出力）２７とデジタル出力部（Ｄ出力）２８の各出力ポートのいずれかへ割り当てる。これにより、ＭＩＸ出力ｃｈが出力するオーディオ信号は割り当てられた出力ポートから出力される。なお、Ａ出力２７及びＤ出力２８は、波形Ｉ／Ｏ１３のオーディオ信号出力機能（主に、ＤＡ変換、フォーマット変換、複数の出力ポート）に相当する。
【００２３】
図３はミキサ１の操作パネルの構成例であり、複数のディスプレイ３０，３１と、複数のｃｈストリップグループ３２〜３５と、セレクテッドｃｈ画面ディスプレイ３６と、セレクテッドｃｈ操作子部３７が設けられている（図１の操作子１５、電動フェーダ１６、表示器１７に相当）。各ｃｈストリップグループ３２〜３５は、それぞれ、複数本（図では８本）ｃｈストリップ３８を１組とするグループである。各ｃｈストリップ３８には、当該ｃｈストリップ３８の操作対象となる信号処理ｃｈ（入力ｃｈやＭＩＸ出力ｃｈ）が割り当てられる。当該割当は周知の技術を用いて行うものとする。
【００２４】
１つのｃｈストリップ３８には、１つの電動フェーダ１６及び１つのノブ操作子３９を含む複数の物理操作子が設けられている。オペレータは、ｃｈストリップ３８に設けられた電動フェーダ１６を用いて、そのｃｈストリップに割り当てられた信号処理ｃｈの音量レベルを調整できる。さらに、ｃｈストリップ３８に設けられたノブ操作子３９を用いて、そのｃｈストリップに割り当てられた信号処理ｃｈにおける各種のパラメータのうち、そのノブ操作子３９に割り当てられているパラメータの値を調整できる。また、電動フェーダ１６及びノブ操作子３９以外の他の物理操作子についても同様に、当該ｃｈストリップに割り当てられた信号処理ｃｈにおける各種のパラメータのうち、物理操作子ごとに割り当てられているパラメータの値を調整できる。
【００２５】
２つの内部ディスプレイ３０，３１（第１ディスプレイ３０，第２ディスプレイ３１）は、図１の表示器１７に対応するもので、それぞれ、物理的に独立した表示パネルにより構成される。各内部ディスプレイ３０、３１には、後述するベース画面４０及びポップアップ画面４１など、各種の情報が表示される。各内部ディスプレイ３０，３１に表示された各種のパラメータの値を調整するための操作子として、第１〜第４のｃｈストリップグループ３２〜３５のうち、第１ディスプレイ３０にはその近傍に配置された第１ｃｈストリップグループ３２が対応付けられており、第２ディスプレイ３１にはその近傍に配置された第２ｃｈストリップグループ３３が対応付けられている。
本明細書では、ミキサ１に外部接続された（ミキサ１の外部にある）ディスプレイ２を「外部ディスプレイ」、操作パネル上に設けられた（ミキサ１の内部にある）ディスプレイ３０，３１を「内部ディスプレイ」と呼ぶ。以後の説明では、第１ディスプレイ３０を内部ディスプレイの代表として説明する。第２ディスプレイ３１は第１ディスプレイ３０と同様の機能を有し、同様に動作するためその説明を割愛する。
【００２６】
セレクテッドｃｈ画面ディスプレイ３６には、複数の信号処理ｃｈの中から選択された１つのｃｈ（セレクテッドｃｈ）に関する複数のパラメータが表示される。セレクテッドｃｈ操作子部３７には、セレクテッドｃｈ画面ディスプレイ３６に呼び出されたセレクテッドｃｈに関する複数のパラメータの値を調整するための操作子群が配置されている。
【００２７】
内部ディスプレイ３０において、ポップアップ画面４１が表示される前に表示されている画面（ポップアップ画面４１とは異なる画面）がベース画面４０であり、典型的には、ミキサ１の起動直後から表示されるメイン画面である。本実施例ではメイン画面をベース画面４０として説明する。
【００２８】
図４はメイン画面（ベース画面４０）の構成例である。内部ディスプレイ３０に対応するｃｈストリップグループに属する８本のｃｈストリップ３８に対応する８つのｃｈストリップ領域４２が設けられている。各ｃｈストリップ領域４２には、それぞれ対応するｃｈストリップ３８に割り当てられた信号処理ｃｈのパラメータのうちの主要な一部のみが表示される。また、各ｃｈストリップ領域４２の表示位置は、それぞれ対応するｃｈストリップ３８と縦一列に並ぶ位置に設定される。ベース画面４０の表示サイズは、内部ディスプレイの表示パネル全面と略同じサイズ（表示領域全体を使う表示サイズ）である。
【００２９】
ミキサ１の電源投入時には初期設定として、ｃｈストリップグループ３２のｃｈストリップ３８には左から順に入力ｃｈ９〜１６が操作対象として割り当てられ、内部ディスプレイ３０には入力ｃｈ９〜１６の情報がそれぞれ表示された８つのｃｈストリップ領域４２から成るベース画面４０が表示される。この時点では、内部ディスプレイ３０にはベース画面４０のみが表示され、ポップアップ画面４１は表示されない。オペレータが、ｃｈストリップグループ３２に対する信号処理ｃｈの割り当てを変更すると、ＣＰＵ１０は、ｃｈストリップグループ３２の各ｃｈストリップ３８に新たな８つの信号処理ｃｈを割り当てるとともに、ｃｈストリップグループ３２に対応する内部ディスプレイ３０に表示されているベース画面４０の表示内容を、新たに割り当てられた８つの信号処理ｃｈに関する情報に変更する。オペレータは、ベース画面４０とｃｈストリップグループ３２を用いて、複数の信号処理ｃｈ間のバランスを見ながら、各ｃｈストリップに割り当てられている信号処理ｃｈの主要なパラメータの値を調整できる。
【００３０】
図４において、各ｃｈストリップ領域４２に設けられた複数のＧＵＩ画像（丸パーツ）４３は、その丸パーツ４３が属するｃｈストリップ領域４２に対応するｃｈストリップ３８に割り当てられている信号処理ｃｈのパラメータの値を表示するものであり、複数の丸パーツ４３はそれぞれ異なるパラメータを対象としている。また、当該丸パーツ４３はパラメータ選択スイッチとしても動作し、オペレータによっていずれかの丸パーツ４３がタッチ操作されると、当該操作された丸パーツ４３が対象としているパラメータを、当該丸パーツ４３の属するｃｈストリップ領域４２に対応するｃｈストリップ３８に設けられたノブ操作子３９に、操作対象のパラメータとして割り当てる。
【００３１】
各ｃｈストリップ領域４２の上段部（図において網掛け表示で示した部分）の四角マスの１つずつは、ポップアップ画面４１の表示を指示するためのタッチスイッチ（ポップアップスイッチ）４４を表している。各領域４２に設けられた３つのポップアップスイッチ４４にはそれぞれ異なる機能（イコライザ，ヘッドアンプ，コンプレッサなど）が対応付けられている。
【００３２】
図６は、ポップアップ画面４１の表示処理の手順を説明するフローチャートである。ポップアップ画面４１の表示が指示されたとき、すなわち、オペレータがポップアップスイッチ４４のいずれか１つに対するタッチ操作を行ったとき、ＣＰＵ１０は、図６に示す処理を起動する。
【００３３】
ステップＳ１において、ＣＰＵ１０は、内部ディスプレイ３０上のタッチされた位置に基づいて、タッチ操作された１つのポップアップスイッチ４４を特定する。また、特定されたポップアップスイッチ４４に対応つけられている機能を今回の対象機能として決定し、特定されたポップアップスイッチ４４が属するｃｈストリップ領域４２に対応するｃｈストリップ３８に割り当てられている信号処理ｃｈを今回の対象ｃｈとして決定する。
【００３４】
ステップＳ２において、ＣＰＵ１０は、内部ディスプレイ３０に表示中のベース画面４０の動作を無効化する。具体的には、当該ベース画面４０の各種制御機能（ＧＵＩ部品に対するタッチ操作を受け付けるタッチ機能等）が働かないようにし、且つ、当該ベース画面４０の表示態様を通常の表示から無効状態を示す表示（例えばグレイアウト表示）に切り替える。
【００３５】
ステップＳ３において、ＣＰＵ１０は、前記ステップＳ１で決定された対象機能及び対象ｃｈを処理対象とするポップアップ画面４１を、内部ディスプレイ３０に表示する。当該ポップアップ画面４１は、前記決定された対象ｃｈの、前記決定された対象機能における各種のパラメータの値を表示したものであり、いわゆるポップアップ表示の手法により、内部ディスプレイ３０に無効状態の態様で表示されているベース画面４０の上に重ねて表示される。そのため、ポップアップ画面４１の表示中はベース画面４０の表示内容の少なくとも一部がポップアップ画面４１の下に隠れる。
【００３６】
図５はポップアップ画面４１の一構成例である。なお、ポップアップ画面（４１、６２）とはディスプレイ上に一時的に表示される画面であり、本実施例においては、或る対象ｃｈにおける、或る対象機能に関する詳細な情報（当該機能に含まれているすべてのパラメータの値）を表示し、当該表示されたパラメータの値を調整するための画面である。対象機能には、イコライザ，ヘッドアンプ，コンプレッサなどの機能があり、対象機能となる各機能は複数のパラメータを含んでいる。
図５に示すように、ポップアップ画面４１は内部ディスプレイ３０用のポップアップ画面であり、少なくとも、当該ポップアップ画面４１を外部ディスプレイへ移動すること（外部ストックすること）を指示する外部ストックスイッチ４６と、複数のＧＵＩ画像（丸パーツ）４５が配置される。各丸パーツ４５は、当該ポップアップ画面４１の対象ｃｈの対象機能に含まれているパラメータのうちのいずれか１つのパラメータを処理対象とし、その値を表示する。また、各丸パーツ４５には、当該ポップアップ画面４１が表示されている内部ディスプレイ３０に対応するｃｈストリップグループにおけるノブ操作子３９のいずれか１つが対応付けられており、当該対応つけられているノブ操作子３９を操作することにより、当該丸パーツ４５が処理対象としているパラメータの値を調整することができる。
なお、ポップアップ画面４１に表示される情報の内容や表示方法は対象ｃｈや対象機能に応じて異なる。また、ポップアップ画面４１の表示サイズは、横幅が固定サイズ（ベース画面４０と略同じ横幅）とし、機能毎、つまり、表示すべき情報の量に応じて高さが可変するものとする。内部ディプレイ上での表示位置は、対応する各ノブ操作子３９との対応付けがとれる所定の位置で固定されており、オペレータが表示位置を変更することはできない。
【００３７】
図６に戻り、ステップＳ３では、さらに、表示したポップアップ画面４１を動作可能な状態に設定する。具体的には、当該ポップアップ画面４１の各種制御機能（ＧＵＩ部品に対するタッチ操作を受け付けるタッチ機能等）が働くように設定するとともに、当該ポップアップ画面４１に配置されている丸パーツ４５それぞれについて、当該ポップアップ画面４１が表示されている内部ディスプレイ３０に対応するｃｈストリップグループ内から対応するノブ操作子３９を特定し、当該特定したノブ操作子３９の操作対象として、当該対応する丸パーツ４５が処理対象としているパラメータを割り当てる（当該特定したノブ操作子３９に割り当てられているパラメータを変更する）。これにより、ポップアップ画面４１が表示されている内部ディスプレイ３０に対応するｃｈストリップグループ内のノブ操作子３９を使って、当該ポップアップ画面４１に表示されている各種のパラメータの値を調整できるようになる。なお、丸パーツ４５とノブ操作子３９の対応関係は予め規定されている。
ここでは、ポップアップ画面４１で利用される操作子（本実施例ではノブ操作子３９）のみ、割り当てられているパラメータを変更し、内部ディスプレイ３０に対応するｃｈストリップグループ内の操作子のうちのポップアップ画面４１で利用されない操作子（本実施例ではノブ操作子３９以外の操作子）については、割り当てられているパラメータを変更せず、それまでに割り当てられていたパラメータを継続する。なお、前記のポップアップ画面４１で利用されない操作子については、それまでに割り当てられていたパラメータをはずして、なんらのパラメータも割り当てられていない状態とし、ポップアップ画面４１の表示中はそれらの操作子が操作されてもなんらの処理も実行しない構成を採用してもよい。
【００３８】
図７は、外部ディスプレイ２に表示される画面の構成を説明する図である。図７において、外部ディスプレイ２の画面は、ビューエリア６０とストックリストエリア６１からなる。ビューエリア６０は、外部ディスプレイ用のポップアップ画面（ポップアップ画面６２）を表示するエリアである。ストックリストエリア６１は、ビューエリア６０に表示するポップアップ画面６２を選択するためのポップアップ選択スイッチ６３を表示するエリアである。ポップアップ選択スイッチ６３はポップアップ画面６２ごとに表示され、少なくとも、ストックリストに登録されているポップアップ画面４１それぞれに対応するポップアップ選択スイッチ６３が表示される。
ストックリストとは、外部ストックを指示された（外部ディスプレイ用のポップアップ画面６２として使うよう指示された）ポップアップ画面４１を登録したリストデータであり、ミキサ１のフラッシュメモリ１１又はＲＡＭ１２に記録されている。ストックリストには複数のポップアップ画面４１を登録でき、ポップアップ画面４１ごとに当該ポップアップ画面４１を特定するための情報を記録する。ポップアップ画面４１を特定するための情報として、少なくとも、当該ポップアップ画面４１の対象ｃｈと対象機能の情報を記録する。ストックリストに登録されている各ポップアップ画面４１は、１つのポップアップ選択スイッチ６３（および１つの外部ディスプレイ用のポップアップ画面６２）と対応付いている。
【００３９】
図８は、内部ディスプレイ３０に表示中のポップアップ画面４１を外部ストックすることが指示されたとき、すなわち、内部ディスプレイ３０に表示中のポップアップ画面４１内に配置されている外部ストックスイッチ４６のタッチ操作が行われたときに、ミキサ１のＣＰＵ１０が実行する処理を説明するフローチャートである。ステップＳ４において、ＣＰＵ１０は、当該外部ストックが指示された（今回タッチ操作された外部ストックスイッチ４６を含む）ポップアップ画面４１をストック対象とし、当該ストック対象のポップアップ画面４１をストックリストに追加して登録し、当該ストック対象のポップアップ画面４１に対応するポップアップ選択スイッチ６３を外部ディスプレイのストックエリア６１に追加して表示する。これにより、当該ストック対象のポップアップ画面４１に相当する外部ディスプレイ用のポップアップ画面６２を外部ディスプレイ２で表示（選択）できる状態が設定される。なお、ストックされたポップアップ画面６２の対象ｃｈ及び対象機能は固定され、それらを変更することはできない。
【００４０】
ステップＳ５において、ＣＰＵ１０は、ストック対象のポップアップ画面４１と同等、つまり、当該ストック対象のポップアップ画面４１の対象ｃｈや対象機能などの各種の設定を踏襲し、当該ストック対象のポップアップ画面４１と同等の機能をはたすポップアップ画面６２を外部ディスプレイに表示する。そして、当該表示したポップアップ画面６２における各種の操作子６４〜６６を外部ディスプレイ２用の操作子を使って操作できるように設定するなど、当該ポップアップ画面６２の各種制御機能が働く状態（動作可能な状態）に設定する。これにより、内部ディスプレイ３０に表示されていたポップアップ画面４１と同等のポップアップ画面６２を、外部ディスプレイと外部ディスプレイ用の操作子を使って操作できるようになる。
なお、外部ディスプレイ２に既に他のポップアップ画面６２が表示されている場合、ＣＰＵ１０は（１）既存のポップアップ画面６２の上に、今回ストックされたポップアップ画面６２を重ねて表示するか、又は、（２）既存のポップアップ画面６２を最小化して、今回ストックされたポップアップ画面６２のみを表示する制御を行う。いずれにせよ、今回ストックされたポップアップ画面６２が最前面に表示され、操作対象となる。
【００４１】
ステップＳ６において、ＣＰＵ１０は、内部ディスプレイ３０に表示中のストック対象のポップアップ画面４１を消し、内部ディスプレイ３０のベース画面４０のグレイアウト表示を終了して通常の表示態様に戻し（各種制御機能を働くようにし）、当該ベース画面４０のみを動作可能な状態で内部ディスプレイ３０に表示する。さらに、内部ディスプレイ３０に対応するｃｈストリップグループ内のノブ操作子３９に割り当てられている操作対象のパラメータを、それまで割り当てられていたストック対象のポップアップ画面４１に対応するパラメータから、当該ベース画面４０に対応するパラメータへ変更する。本ステップＳ６の処理後に今回の図８の処理を終了する。なお、本ステップＳ６の処理により、内部ディスプレイ３０ではベース画面４０が操作可能な状態となり、当該ベース画面４０を用いたパラメータの値の調整や、新たなポップアップ画面４１の表示を行えるようになる。
【００４２】
図７において、外部ディスプレイ２に表示されたポップアップ画面６２には、パラメータを調整するために用いる複数のＧＵＩ画像（丸パーツ）６４が設けられている。各丸パーツ６４は、内部ディスプレイのポップアップ画面４１における丸パーツ４５に相当するものであり、ノブ操作子３９ではなく、外部ディスプレイ用の操作子を用いて操作することができる。また、ポップアップ画面６２には、当該ポップアップ画面６２を最小化させるための最小化スイッチ６５と、当該ポップアップ画面６２のストック終了を指示するストック終了スイッチ６６が設けられている。
【００４３】
図９は、外部ディスプレイ２に対する操作、つまり、外部ディスプレイ用の操作子の操作を検出したときに、ミキサ１のＣＰＵ１０が実行する処理を説明するフローチャートである。外部ディスプレイ２に対する操作には、ストックリストエリア６１のポップアップ選択スイッチ６３の操作、ポップアップ画面６２における最小化スイッチ６５の操作、ポップアップ画面６２におけるストック終了スイッチ６６の操作、及び、ポップアップ画面６２における丸パーツ６４の操作がある。ミキサ１のＣＰＵ１０は、ステップＳ８、Ｓ９、Ｓ１０により、検出された操作が上記のいずれであるかを判断して、検出した操作に該当する処理を実行する。
【００４４】
ポップアップ選択スイッチ６３の操作が検出された場合、つまり、新たなポップアップ画面６２の表示が指示された場合（ステップＳ８のＹＥＳ）、ＣＰＵ１０は、ステップＳ１１において、外部ディスプレイ２に表示中のポップアップ画面６２をビューエリア６０から消す。
【００４５】
ステップＳ１２において、ＣＰＵ１０は、ストックリストに記録されている、前記ステップＳ１１において消されたポップアップ画面６２に対応する情報を、削除せずに保持する。また、ストックリストエリア６２に配置されている、前記ステップＳ１１において消されたポップアップ画面６２に対応する画面選択スイッチ６３を、消すことなく、操作可能な状態で継続する。
【００４６】
ステップＳ１３において、ＣＰＵ１０は、ストックリストから、今回操作されたポップアップ選択スイッチ６３に対応するポップアップ画面４１の情報を読み出し、当該読み出した情報（少なくとも対象ｃｈと対象機能）及び、原時点（画面選択スイッチが押された時点）におけるカレントメモリ内のパラメータの値とに基づくポップアップ画面６２をビューエリア６０に新たに表示し、当該新たに表示したポップアップ画面６２を動作可能な状態に設定する。当該動作可能な状態に設定する処理は図８ステップＳ５と同様であるためここではその詳細な説明を割愛する。本ステップＳ１３の処理後に今回の図９の処理を終了する。
【００４７】
最小化スイッチ６５の操作が検出された場合、つまり、表示中のポップアップ画面６２の最小化が指示された場合（ステップＳ９のＹＥＳ）、ＣＰＵ１０は、ステップＳ１４において、外部ディスプレイ２に現在表示中の、前記操作された最小化スイッチ６５を含むポップアップ画面６２をビューエリア６０から消す。
【００４８】
ステップＳ１５において、ＣＰＵ１０は、ストックリストに記録されている、前記ステップＳ１４において消されたポップアップ画面６２に対応する情報を、削除せずに保持する。また、ストックリストエリア６２に配置されている、前記ステップＳ１４において消されたポップアップ画面６２に対応する画面選択スイッチ６３を、消すことなく、操作可能な状態で継続する。本ステップＳ１５の処理後に今回の図９の処理を終了する。
【００４９】
ストック終了スイッチ６６の操作が検出された場合、つまり、表示中のポップアップ画面６２のストック終了が指示された場合（ステップＳ１０のＹＥＳ）、ＣＰＵ１０は、ステップＳ１６において、外部ディスプレイ２に現在表示中の、前記操作されたストック終了スイッチ６６を含むポップアップ画面６２をビューエリア６０から消す。
【００５０】
ステップＳ１７において、ＣＰＵ１０は、ストックリストに記録されている、前記ステップＳ１６において消されたポップアップ画面６２に対応する情報を削除する。また、ストックリストエリア６２に配置されている、前記ステップＳ１６において消されたポップアップ画面６２に対応する画面選択スイッチ６３を削除する。本ステップＳ１７の処理後に今回の図９の処理を終了する。
つまり、ステップＳ１２とステップＳ１５の処理後はストックが継続されているが、ステップＳ１７の処理後はストックが継続されておらず、ストックが終了している。
【００５１】
丸パーツ６４の操作など、その他の操作が検出された場合（ステップＳ１０のＮＯ）、ステップＳ１８において、ＣＰＵ１０は、検出された操作内容に応じた処理を行う。例えば、丸パーツ６４が操作された場合には、当該操作された丸パーツ６４を含むポップアップ画面６２の対象ｃｈにおける対象機能に含まれるパラメータのうち、当該操作された丸パーツ６４に対応するパラメータの値を調整する。本ステップＳ１８の処理後に今回の図９の処理を終了する。
【００５２】
以上の通り、本発明によれば、外部ストック指示によって内部ディスプレイに表示中のポップアップ画面４１を外部ディスプレイへストックすると、オペレータは、外部ディスプレイ用の操作子を用いて、ストック後のポップアップ画面６２のパラメータの値を調整できると同時に、ｃｈストリップグループの操作子を用いて、内部ディスプレイのベース画面のパラメータの値を調整できるようになる。このように、本発明は、内部ディスプレイに表示中のポップアップ画面４１を外部ディスプレイに移動させるという簡単な操作のみで、或る信号処理ｃｈについて、そのｃｈを含む複数の信号処理ｃｈの主要なパラメータと、そのｃｈの特定機能の詳細なパラメータとを同時に表示して同時に調整できる状態を迅速かつ正確につくりだせる、という優れた効果を奏する。
【００５３】
なお、図９ステップＳ１１では、ポップアップ画面６２を消さず、当該ポップアップ画面６２の各種制御機能が働かないようにし、表示態様を無効化状態を示す態様（例えばグレイアウト表示）へ変更して、その上に新しいポップアップ画面６２を重ねて表示する構成を採用してもよい。
なお、外部ディスプレイの数を２つ以上とする構成を採用してもよい。外部ディスプレイが２つ以上ある場合、外部ディスプレイごとにストックリストを記録する構成を採用するとよい。また、図８ステップＳ４においてストック先の外部ディスプレイを１つ決定する構成とし、ユーザからいずれか１つの外部ディスプレイの選択を受け付ける構成、あるいは、予め決められたルールに基づいて自動的にいずれか１つの外部ディスプレイを選択する構成などを採用するとよい。
なお、本発明を適用するミキサ１は、コンソール（操作パネル）、波形Ｉ／Ｏ１３、及び信号処理部１４が１つの筐体に納められて構成されるものであってもよいし、機能毎に独立した装置をネットワーク経由で接続するミキシングシステムであってもよい。
【符号の説明】
【００５４】
１  デジタルオーディオミキサ、２  外部ディスプレイ、３  マウス操作子、１０  ＣＰＵ、１１  フラッシュメモリ、１２  ＲＡＭ、１３  波形Ｉ／Ｏ、１４  信号処理部（ＤＳＰ）、１５  操作子、１６  音量レベル調整用操作子（音量フェーダ）、１７  タッチパネル式表示器、１８  その他Ｉ／Ｏ、１９  バスライン、２０  アナログ入力部、２１  デジタル入力部、２２  入力パッチ部、２３  入力チャンネル部、２４  ＭＩＸバス、２５  ＭＩＸ出力チャンネル部、２６  出力パッチ部、２７  アナログ出力部、２８  デジタル出力部、２９  インサートエフェクタ、３０，３１  ディスプレイ、３２−３５  ｃｈストリップグループ、３６  セレクテッドチャンネル画面表示用ディスプレイ、３７  セレクテッドチャンネル操作子部、３８  ストリップ、３９  ノブ操作子、４０  ベース画面、４１  ポップアップ画面、４２  ｃｈストリップ領域、４３  パラメータ選択スイッチ、４４  ポップアップ画面表示指示スイッチ、４５  パラメータ選択スイッチ、４６  外部ストックスイッチ、６０  ビューエリア、６１  ストックリストエリア（ストックリスト）、６２  ポップアップ画面、６３  画面選択スイチ、６４  パラメータ調整用パーツ、６５  最小化指示スイッチ、６６  ストック終了指示スイッチ
【図１】
0005407966.tif 000002
【図２】
0005407966.tif 000003
【図３】
0005407966.tif 000004
【図４】
0005407966.tif 000005
【図５】
0005407966.tif 000006
【図６】
0005407966.tif 000007
【図７】
0005407966.tif 000008
【図８】
0005407966.tif 000009
【図９】
0005407966.tif 000010